(57)【特許請求の範囲】
【請求項１】
電気部品を収容する収容部を有するソケット本体と、
上記ソケット本体の収容部に収容された電気部品の接続端子部に離接可能とされた複数のコンタクトピンと、
上記ソケット本体の一側端部にて開閉可能に装着されたソケットカバーと、
上記ソケットカバーの閉じ側面に設けられ、上記ソケット本体の収容部に収容された電気部品を下方へ押圧する押圧面を有するプッシャーと、
上記プッシャーの押圧面から出没可能に設けられ、上記プッシャーとは独立して上記電気部品を下端面で下方へ押圧し、上記ソケットカバーを開いたときに上記電気部品が上記プッシャーの押圧面に貼りつくことを防止する押出し部材と、
を備えた電気部品用ソケットにおいて、
上記押出し部材の上端部に、該押出し部材の押出し方向と直角方向に延びると共に下面が上記ソケット本体の収容部の外周に立ち上げられた外周壁の上面に当接する延長部を設け、
上記ソケット本体の収容部に電気部品を収容しないで上記ソケットカバーを閉じた状態にて、上記押出し部材の延長部の下面が上記収容部の外周壁の上面に当接することで、上記押出し部材の下端面が、上記プッシャーの押圧面の最大下降位置と一致又はそれより上方に位置するようにしたことを特徴とする電気部品用ソケット。
【請求項２】
上記ソケット本体の収容部の外周壁上面は、上記収容部に電気部品を収容する際のガイドとなるガイド部の上面であることを特徴とする請求項１記載の電気部品用ソケット。
【発明の詳細な説明】
【技術分野】
【０００１】
本発明は、ソケット本体から電気部品を取り出す際、押出し部材によって電気部品を下方へ押圧することにより、ソケットカバーの閉じ側面に対する電気部品の貼りつきを防止する電気部品用ソケットに関し、詳しくは、上記ソケット本体に電気部品が収容されていない状態にて、上記押出し部材の下端面とコンタクトピンとの接触を防止する電気部品用ソケットに係るものである。
【背景技術】
【０００２】
従来の電気部品用ソケットは、ベースにカバーが回動可能に取り付けられ、上記ベースの収容部内に半導体デバイスを水平に収納し、上記カバーを回動させて閉じ、上記ベースにカバーを係止することにより、上記カバーに装着された押圧ブロックによって、上記半導体デバイスが鉛直に押圧されて固定され、上記収容部の下面に配置されたフィルムコンタクトと電気的に接続するようになっていた。そして、上記収容部から半導体デバイスを取り出すには、上記カバーとベースとの係止状態を解除し、カバーを回動させて開けることにより取り出す構成となっていた（例えば、特許文献１参照）。
【特許文献１】特開平１１−１６２６０１号公報
【０００３】
なお、上記カバーの閉じ側面に、上記押圧ブロックとは独立に上記半導体デバイスを下方へ押圧して半導体デバイスと押圧ブロックとの貼りつきを防止する押出し部材を備えたものもあった。例えば、図４に示すように、中空に形成された押圧ブロック３２の内部に、押圧ブロック３２とは独立に半導体デバイス３３を下方へ押圧して半導体デバイス３３と押圧ブロック３２との貼りつきを防止する押出し部材３４を備えていた。このような構成により、図４（ａ）に示すように、ベース３５の収容部３６に半導体デバイス３３が収容されてカバー３１が閉じられた状態から、カバー３１を回動させて開けると、カバー３１の上昇に伴い、押圧ブロック３２がその上部に設けられた鍔部３７をカバー３１の閉じ側面に設けられた掛止部３８に掛止されて上昇を開始するが、押出し部材３４はバネ３９によって下方に押圧されているため、押圧ブロック３２と共に上昇を開始することなく半導体デバイス３３を下方へ押圧することとなり、半導体デバイス３３が静電気力等により押圧ブロック３２の下端部に設けられた押し部４１の下面に貼りついて上昇することを防止することができる。そして、押圧ブロック３２が更に上昇すると、押し部４１の上面が押出し部材３４の上部に設けられた段部４３に当接することにより、押出し部材３４がカバー３１と共に上昇して半導体デバイス３３を取り出すことができるようになっていた。なお、図４に示す電気部品用ソケットにおいては、上記特許文献１記載の電気部品用ソケットにおけるフィルムコンタクトに替えてコンタクトピン４２が備えられている。
【発明の開示】
【発明が解決しようとする課題】
【０００４】
しかし、図４に示す電気部品用ソケットにおいては、同図（ａ）に示すように、押出し部材３４の上部の段部４３が、押圧ブロック３２の下端部の押し部４１の上面に当接することにより、押出し部材３４の下降量を制限する構成となっていた。ここで、図４（ｂ）に示すように、ベース３５の収容部３６に半導体デバイス３３が収容されていない場合は、カバー３１を閉じて押圧ブロック３２が最大下降位置に降下したとき、押出し部材３４の下端面は押圧ブロック３２の下面より下方に位置することとなり、押出し部材３４の下端面が収容部３６の底面に突出したコンタクトピン４２に接触し、異物の付着や破損が生じる場合があった。
【０００５】
これに対して、図４（ｂ）に示すように、半導体デバイス３３を収容しないでカバー３１を閉じた状態における、押出し部材３４の下端面が押圧ブロック３２の下面より下方に位置して停止した状態のまま、各々の停止位置を上方に修正した場合、押出し部材３４の下端面はコンタクトピン４２に接触しなくなるが、結果として押圧ブロック３２の下面とコンタクトピン４２の上端との間の隙間が広くなり、その分、押圧ブロック３２によって押圧可能となる半導体デバイス３３の最小厚みが大きくなってしまう。また、コンタクトピン４２と接触しないように、押圧ブロック３２の停止位置を変えずに、押出し部材３４のみ停止位置を上昇させてコンタクトピン４２と接触しないようにすることは製造精度上困難であった。
【０００６】
そこで、本発明は、このような問題点に対処し、上記ソケット本体に電気部品が収容されていない状態にて、上記押出し部材の下端面とコンタクトピンとの接触を防止する電気部品用ソケットを提供することを目的とする。
【課題を解決するための手段】
【０００７】
上記目的を達成するために、本発明による電気部品用ソケットは、電気部品を収容する収容部を有するソケット本体と、上記ソケット本体の収容部に収容された電気部品の接続端子部に離接可能とされた複数のコンタクトピンと、上記ソケット本体の一側端部にて開閉可能に装着されたソケットカバーと、上記ソケットカバーの閉じ側面に設けられ、上記ソケット本体の収容部に収容された電気部品を下方へ押圧する押圧面を有するプッシャーと、上記プッシャーの押圧面から出没可能に設けられ、上記プッシャーとは独立して上記電気部品を下端面で下方へ押圧し、上記ソケットカバーを開いたときに上記電気部品が上記プッシャーの押圧面に貼りつくことを防止する押出し部材と、を備えた電気部品用ソケットにおいて、上記押出し部材の上端部に、該押出し部材の押出し方向と直角方向に延びると共に下面が上記ソケット本体の収容部の外周に立ち上げられた外周壁の上面に当接する延長部を設け、上記ソケット本体の収容部に電気部品を収容しないで上記ソケットカバーを閉じた状態にて、上記押出し部材の延長部の下面が上記収容部の外周壁の上面に当接することで、上記押出し部材の下端面が、上記プッシャーの押圧面の最大下降位置と一致又はそれより上方に位置するようにしたものである。
【０００８】
このような構成により、上記押出し部材の上端部に、該押出し部材の押出し方向と直角方向に延びると共に下面がソケット本体の収容部の外周に立ち上げられた外周壁の上面に当接するように設けられた延長部によって、ソケット本体の収容部に電気部品を収容しないでソケットカバーを閉じた状態にて、上記押出し部材の延長部の下面が上記収容部の外周壁の上面に当接することで、上記押出し部材の下端面が、上記プッシャーの押圧面の最大下降位置と一致又はそれより上方に位置するようにする。
【０００９】
また、上記ソケット本体の収容部の外周壁上面は、上記収容部に電気部品を収容する際のガイドとなるガイド部の上面である。これにより、上記ソケット本体の収容部に電気部品を収容する際のガイドとなるガイド部の上面に、上記延長部は当接する。
【発明の効果】
【００１１】
請求項１に係る発明によれば、押出し部材の上端部に、該押出し部材の押出し方向と直角方向に延びると共に下面がソケット本体の収容部の外周に立ち上げられた外周壁の上面に当接するように設けられた延長部によって、ソケット本体の収容部に電気部品を収容しないでソケットカバーを閉じた状態にて、上記押出し部材の延長部の下面が上記収容部の外周壁の上面に当接することで、上記押出し部材の下端面が、上記プッシャーの押圧面の最大下降位置と一致又はそれより上方に位置するようにできる。したがって、プッシャーの最大下降位置を上げることなく、ソケット本体の収容部に電気部品が収容されていない状態にて、押出し部材の下端面がコンタクトピンに接触しないようにすることができ、異物の付着やコンタクトピンの破損を防止することができる。また、ソケットカバーを閉じてプッシャーが最大下降位置に降下しても、押出し部材の下端面はプッシャーの押圧面と一致又はそれより下方に位置することがない。これにより、プッシャーの押圧面をコンタクトピンの上端により近づけることができ、その分、より薄い電気部品にまで適用することができる。
【００１２】
また、請求項２に係る発明によれば、延長部は、ソケット本体の収容部に電気部品を収容する際のガイドとなるガイド部の上面に当接することができる。したがって、新たに他の部材を設けることなく延長部をソケット本体に対して当接させることができる。
【発明を実施するための最良の形態】
【００１４】
以下、本発明の実施形態を添付図面に基づいて詳細に説明する。
図１は本発明による電気部品用ソケットの実施形態を示す図である。この電気部品用ソケットは、ソケット本体から電気部品を取り出す際、押出し部材によって電気部品を下方へ押圧することにより、ソケットカバーの閉じ側面に対する電気部品の貼りつきを防止するもので、ソケット本体１と、コンタクトピン２と、ソケットカバー３と、プッシャー４と、押出し部材５とを備え、さらに、押出し部材５の上部に延長部６を設けたものである。
【００１５】
ソケット本体１は、内部に設けられた収容部に電気部品を収容するもので、収容部１１と、ガイド部１２とを有している。この収容部１１は、ＩＣパッケージ８（図３（ａ）参照）を位置決めして収容するもので、図２に示すように、平面視でソケット本体１の略中央部に形成されている。収容部１１の周囲には、ガイド部１２が設けられている。このガイド部１２は、収容部１１にＩＣパッケージ８を収容する際のガイド部となるもので、図３に示すように、収容部１１の外周に沿ってその底面に向かって落ち込む傾斜面を有して形成され、該傾斜面に沿ってＩＣパッケージ８を滑らせて収容部１１内に誘導するようになっている。
【００１６】
ここで、ＩＣパッケージ８は、内部にＩＣ（集積回路）等のデバイスを封入した矩形状のパッケージ本体の下面に接続端子部９としての複数の半田ボールが突出されて、縦方向と横方向とにマトリックス状に配列されて形成されている。
【００１７】
ソケット本体１の内部には、コンタクトピン２が備えられている。このコンタクトピン２は、その上端部がソケット本体１の収容部１１に収容されたＩＣパッケージ８の接続端子部９に離接するもので、例えば棒状の導電性部材から成り、その長手方向に伸縮可能に形成され、上端部を収容部１１の底面より所定量突出させて複数配設され、その下端部がソケット本体１の下面に配置される回路基板１０の電極部（図示省略）に接続されることにより、ＩＣパッケージ８と回路基板１０とを電気的に接続させるようになっている。
【００１８】
ここで、回路基板１０（図１参照）は、板状に形成され、その上面にＩＣパッケージ８の接続端子部９に対応して図示省略の電極部を有し、この電極部にコンタクトピン２の下端部が接続されることによりＩＣパッケージ８と電気的に接続するようになっている。
【００１９】
ソケット本体１の上部には、ソケットカバー３が装着されている。このソケットカバー３は、ソケット本体１の収容部１１に収容されたＩＣパッケージ８を固定するもので、図１に示すように、ソケット本体１の上部の一側端部（図１において右側端部）にて矢印Ａ又はＢ方向に開閉可能に装着され、他側端部（図１において左側端部）にラッチ１３を有している。このラッチ１３は、ソケット本体１の他側端部に設けられた係止ツメ１９に係止することにより、ソケットカバー３の閉状態を保持するもので、ソケットカバー３の他側端部にて、この他側端部に平行に設けられた軸２１に軸支され、トーションスプリング２２によって矢印Ｃ方向に付勢されている。なお、図３に示すように、ソケッカバー３の閉じ側面の周縁部の一側端部側（図３において右端部側）と他側端部側（図３において左端部側）とには、内向きの鉤形状に形成された掛止部２３が設けられている。
【００２０】
ソケットカバー３の閉じ側面には、プッシャー４が設けられている。このプッシャー４は、ソケット本体１の収容部１１に収容されたＩＣパッケージ８を下方へ押圧するもので、図３に示すように、下端部に押し部２５を有して中空状に形成され、プッシャー４の上面とソケットカバー３の閉じ側面との間に圧縮バネ１４を介在させてソケットカバー３に取り付けられており、ＩＣパッケージ８を上方から押圧して収容部１１に固定し、ＩＣパッケージ８の接続端子部９とコンタクトピン２とを電気的に接続するようになっている。この押し部２５は、その下面を押圧面２６とし、この押圧面２６で収容部１１に収容されたＩＣパッケージ８を直接押圧するもので、所定の厚みに形成されている。また、押圧面２６は、ＩＣパッケージ８の上面と同程度の大きさの平面状に形成されている。なお、プッシャー４の上面の周縁部の一側端部側と他側端部側とには、外向きの鉤形状に形成された鍔部２４が設けられている。
【００２１】
ソケットカバー３の閉じ側面には、押出し部材５が設けられている。この押出し部材５は、プッシャー４とは独立にＩＣパッケージ８を下方へ押圧してこのＩＣパッケージ８とプッシャー４との貼りつきを防止するもので、プッシャー４の中空内にて上下動可能に備えられ、プッシャー４の押し部２５の押圧面２６から上面に貫通して設けられた孔１５（図３（ｂ）参照）より小さい径を有して押出し方向に延びる棒状、例えば円柱状に形成され、その下端面を押出し面１６とし、プッシャー４の孔１５から出入してＩＣパッケージ８を押圧可能となっている。そして、押出し部材５は、その上面とソケットカバー３の閉じ側面との間にバネ１８を介在させてソケットカバー３に取り付けられている。
【００２２】
ここで、本発明においては、押出し部材５の上端部にて、該押出し部材５の押出し方向と直角方向に延びた延長部６を、ソケット本体１のガイド部１２の上面に当接するように設けたものである。この延長部６は、ソケット本体１のガイド部１２の上面に当接することにより、押出し部材５の下降量を規制するもので、板状に形成され、押出し部材５の上端部から一側端部側と他側端部側とに向けて延びて形成されている。なお、プッシャー４の一側端部側と他側端部側とには、延長部６が露出可能な開口部（図示省略）が設けられており、延長部６は、この開口部からプッシャー４の外へ露出してガイド部１２の上面に当接可能となっている。
【００２３】
また、本発明においては、押出し部材５の押出し面１６は、ＩＣパッケージ８を収容しないでソケットカバー３を閉じた場合にて、プッシャー４の押圧面の最大下降位置と一致又はそれより上方に位置するようにされている。具体的には、ＩＣパッケージ８を収容しないでソケットカバー３を閉じた場合、バネ１４により下方に付勢されて最大下降位置に降下したプッシャー４の押圧面２６より押出し部材５の押出し面１６が下方に位置しないように、押出し部材５の押出し方向の長さを調整している。
【００２４】
次に、このように構成された電気部品用ソケットの使用状態について説明する。まず、電気部品用ソケットにＩＣパッケージ８を収容するには、図１に示すように、最初に、ソケットカバー３を矢印Ａ方向に開く。
【００２５】
次に、ＩＣパッケージ８をソケット本体１の収容部１１に収容する。このとき、ＩＣパッケージ８は、収容部１１の周囲に設けられたガイド部１２によって収容部１１に案内され、ガイド部１２の内側面によってその外側面が規制されて位置決めされ、確実に収容される。
【００２６】
次に、ソケットカバー３を矢印Ｂ方向に閉じ、ソケットカバー３の矢印Ｃ方向に付勢されたラッチ１３をソケット本体１の係止ツメ１９に係止させて、ソケットカバー３を閉状態とする。
【００２７】
これにより、ＩＣパッケージ８は、ソケットカバー３の閉じ側面に設けられたプッシャー４によって下方へ押圧されて、ＩＣパッケージ８の接続端子部９（図３（ａ）参照）とコンタクトピン２とが電気的に接続され、その結果、ＩＣパッケージ８と回路基板１０とが電気的に接続される。
【００２８】
次に、ＩＣパッケージ８を電気部品用ソケットから取り出すには、まず、ソケットカバー３のラッチ１３を矢印Ｄ方向へ回動し、該ラッチ１３とソケット本体１の係止ツメ１９との係止状態を解除してソケットカバー３を矢印Ａ方向に開く。
【００２９】
このとき、ソケットカバー３の矢印Ａ方向への回動による上昇に伴い、まず、図３（ａ）に示すように、ソケットカバー３の掛止部２３がプッシャー４の鍔部２４の下面に当接し、これにより、プッシャー４が持ち上げられて上昇を開始する。この時、押出し部材５は、その上面に備えられたバネ１８によって、依然として下方に押圧されているため上昇を開始せず、ＩＣパッケージ８を下方へ押圧している。これにより、ＩＣパッケージ８が、静電気力等によりプッシャー４に貼りついている場合であっても、ＩＣパッケージ８は、当初の位置に残っている押出し部材５によって下方に押圧されることにより、プッシャー４への貼りつきによる上昇が防止される。この状態で、プッシャー４が更に上昇すると、このプッシャー４の押し部２５の上面が延長部６の下面に当接してこの延長部６を持ち上げ、押出し部材５が上昇し、収容部１１からＩＣパッケージ８を取り出すことができる。
【００３０】
次に、試験を終える等により、ソケット本体１にＩＣパッケージ８を収容していない状態でソケットカバー３を閉じる場合、図１に示すように、ソケットカバー３を矢印Ｂ方向へ回動して閉じる。このとき、図３（ｂ）に示すように、押出し部材５は、延長部６の下面がソケット本体１のガイド部１２の上面に当接することにより掛止される。ここで、押出し部材５は、この状態にて、その押出し面１６がコンタクトピン２に接触しないように形成されているため、押出し部材５が、コンタクトピン２に接触することなく、ソケットカバー３を閉じることができる。
【００３１】
なお、以上の説明においては、延長部６は、押出し部材５の上部から一側端部側（図１において右端部側）と他側端部側（図１において左端部側）とに向けて延びているが、本発明はこれに限られず、例えばそれとは直交する方向に向けて延ばしてもよいし、複数個の延長部を押出し部材５の上端部でクロスさせて設けてもよい。
【００３２】
また、プッシャー４は、その鍔部２４がソケットカバー３の掛止部２３に掛止されることにより上昇する構成となっているが、プッシャー４とソケットカバー３とに各々鍔部２４又は掛止部２３を設けずに、バネ１４の弾性力によってのみ上昇する構成としてもよい。
【００３３】
さらに、延長部６は、ソケット本体１のガイド部１２の上面に当接する構成としたが、ソケット本体１の収容部１１の外周壁上面であれば、どこに当接させてもよい。
【００３４】
さらにまた、押出し部材５の押出し面１６が、ＩＣパッケージ８を収容しないでソケットカバー３を閉じた場合にて、プッシャー４の押圧面の最大下降位置と一致又はそれより上方に位置するように構成したが、押出し部材５の押し出し面１６が、コンタクトピン２と接触しない構成であればよい。
【図面の簡単な説明】
【００３５】
【図１】本発明による電気部品用ソケットの実施形態を示す一部断面した正面図である。
【図２】図１に示す電気部品用ソケットの平面図であり、上半分はソケットカバーが閉じている状態、下半分はソケットカバーが開いている状態を示す図である。
【図３】図１に示す電気部品用ソケットの動作説明図であり、（ａ）は収容部にＩＣパッケージを収容してソケットカバーを閉じた状態、（ｂ）は収容部にＩＣパッケージを収容しないでソケットカバーを閉じた状態を示す図である。
【図４】従来例による電気部品用ソケットの動作説明図であり、（ａ）は収容部に半導体デバイスを収容してソケットカバーを閉じた状態、（ｂ）は収容部に半導体デバイスを収容しないでソケットカバーを閉じた状態を示す図である。
【符号の説明】
【００３６】
１…ソケット本体
２…コンタクトピン
３…ソケットカバー
４…プッシャー
５…押出し部材
６…延長部
８…ＩＣパッケージ（電気部品）
９…接続端子部
１１…収容部
１２…ガイド部
２６…押圧面
【図１】
0004942639.tif 000002
【図２】
0004942639.tif 000003
【図３】
0004942639.tif 000004
【図４】
0004942639.tif 000005